【手続補正書】
【提出日】平成19年6月25日(2007.6.25)
【手続補正１】
【補正対象書類名】明細書
【補正対象項目名】特許請求の範囲
【補正方法】変更
【補正の内容】
【特許請求の範囲】
【請求項１】  所定の被走査面を第１の走査方向に走査するための走査光学系であって、
光束を出射する光源と、
前記光源から出射された光束を、前記第１の走査方向に対応する方向に対して直交する方向に結像させる第１の結像光学系と、
前記被走査面を前記第１の走査方向に走査するよう、前記第１の結像光学系から出た光束を偏向させる偏向手段と、
前記偏向手段により偏向された光束を、前記被走査面における走査速度が一定になるように、前記被走査面に結像させる第２の結像光学系と、
前記第２の結像光学系と前記被走査面との間の光路上に設けられ、前記第１の走査方向に対して直交する第２の走査方向にのみ負の屈折力を有するシリンドリカルレンズと、
前記シリンドリカルレンズと前記被走査面との間の光路上に設けられ、前記第２の走査方向にのみ屈折力を有するシリンドリカルミラーと
を備えると共に、
前記被走査面における前記第１の走査方向の走査長さは５００ｍｍより長く、
前記第２の走査方向において、前記第２の結像光学系の光軸の近傍を通過した光束が前記シリンドリカルミラーに入射する入射角度は、１５度以下であり、
以下の条件式（１）を満足することを特徴とする走査光学系。
０．０３＜ＤＸ／ＤＬ＜０．０６  ……（１）
ＤＸ：シリンドリカルミラーに入射する光束の第２の走査方向における光束径
ＤＬ：シリンドリカルミラーと被走査面との距離  
【請求項２】  所定の被走査面を第１の走査方向に走査するための走査光学系であって、
光束を出射する光源と、
前記光源から出射された光束を、前記第１の走査方向に対応する方向に対して直交する方向に結像させる第１の結像光学系と、
前記被走査面を前記第１の走査方向に走査するよう、前記第１の結像光学系から出た光束を偏向させる偏向手段と、
前記偏向手段により偏向された光束を、前記被走査面における走査速度が一定になるように、前記被走査面に結像させる第２の結像光学系と、
前記第２の結像光学系と前記被走査面との間の光路上に設けられ、前記第１の走査方向に対して直交する第２の走査方向にのみ負の屈折力を有するシリンドリカルレンズと、
前記シリンドリカルレンズと前記被走査面との間の光路上に設けられ、前記第２の走査方向にのみ屈折力を有するシリンドリカルミラーと
を備えると共に、
前記第２の結像光学系は、前記偏向手段側から順に、前記第１の走査方向に負の屈折力を有する第１レンズ要素と、前記第１の走査方向に正の屈折力を有する第２レンズ要素と、前記第１の走査方向に正の屈折力を有する第３レンズ要素とを備えており、
以下の条件式（２）ないし（５）を満足することを特徴とする走査光学系。
Ｆ／ＤＹ＜２５                ……（２）
０．２＜−Ｆ1 ／Ｆ＜０．３５    ……（３）
０．６＜Ｆ2 ／Ｆ＜０．９        ……（４）
０．３＜Ｆ3 ／Ｆ＜０．７        ……（５）
ＤＹ：第２の結像光学系に入射する光束の第１の走査方向における光束径
Ｆ：第２の結像光学系の焦点距離
Ｆ1 ：第１レンズ要素の焦点距離
Ｆ2 ：第２レンズ要素の焦点距離
Ｆ3 ：第３レンズ要素の焦点距離
【請求項３】  前記第２の結像光学系の第１レンズ要素、第２レンズ要素および第３レンズ要素の全ての光学表面が、少なくとも前記第１の走査方向において屈折力を有することを特徴とする請求項２記載の走査光学系。
【請求項４】  前記第２の結像光学系の第１レンズ要素、第２レンズ要素および第３レンズ要素の全ての光学表面が、少なくとも、前記第２の結像光学系の光軸を含むと共に前記第１の走査方向と平行な断面内において円弧形状をなすことを特徴とする請求項３記載の走査光学系。
【請求項５】  請求項１ないし請求項４のいずれか１に記載の走査光学系と、
前記走査光学系の少なくとも前記光源および前記偏向手段を制御する制御手段と
を備えたことを特徴とする走査光学装置。
【手続補正２】
【補正対象書類名】明細書
【補正対象項目名】０００９
【補正方法】変更
【補正の内容】
【０００９】
【課題を解決するための手段】
本発明による走査光学系は、所定の被走査面を第１の走査方向に走査するための走査光学系であって、光束を出射する光源と、光源から出射された光束を、第１の走査方向に対応する方向に対して直交する方向に結像させる第１の結像光学系と、被走査面を第１の走査方向に走査するよう、第１の結像光学系から出た光束を偏向させる偏向手段と、偏向手段により偏向された光束を、被走査面における走査速度が一定になるように、被走査面に結像させる第２の結像光学系と、第２の結像光学系と被走査面との間の光路上に設けられ、第１の走査方向に対して直交する第２の走査方向にのみ負の屈折力を有するシリンドリカルレンズと、シリンドリカルレンズと被走査面との間の光路上に設けられ、第２の走査方向にのみ屈折力を有するシリンドリカルミラーとを備えると共に、被走査面における第１の走査方向の走査長さは５００ｍｍより長く、第２の走査方向において、第２の結像光学系の光軸の近傍を通過した光束がシリンドリカルミラーに入射する入射角度は、１５度以下であり、以下の条件式（１）を満足することを特徴とするものである。
０．０３＜ＤＸ／ＤＬ＜０．０６  ……（１）
ＤＸ：シリンドリカルミラーに入射する光束の第２の走査方向における光束径
ＤＬ：シリンドリカルミラーと被走査面との距離  
【手続補正３】
【補正対象書類名】明細書
【補正対象項目名】００１１
【補正方法】変更
【補正の内容】
【００１１】
本発明による他の走査光学系は、所定の被走査面を第１の走査方向に走査するための走査光学系であって、光束を出射する光源と、光源から出射された光束を、第１の走査方向に対応する方向に対して直交する方向に結像させる第１の結像光学系と、被走査面を第１の走査方向に走査するよう、第１の結像光学系から出た光束を偏向させる偏向手段と、偏向手段により偏向された光束を、被走査面における走査速度が一定になるように、被走査面に結像させる第２の結像光学系と、第２の結像光学系と被走査面との間の光路上に設けられ、第１の走査方向に対して直交する第２の走査方向にのみ負の屈折力を有するシリンドリカルレンズと、シリンドリカルレンズと被走査面との間の光路上に設けられ、第２の走査方向にのみ屈折力を有するシリンドリカルミラーとを備えると共に、第２の結像光学系は、偏向手段側から順に、第１の走査方向に負の屈折力を有する第１レンズ要素と、第１の走査方向に正の屈折力を有する第２レンズ要素と、第１の走査方向に正の屈折力を有する第３レンズ要素とを備えており、以下の条件式（２）ないし（５）を満足することを特徴とするものである。
Ｆ／ＤＹ＜２５                ……（２）
０．２＜−Ｆ1 ／Ｆ＜０．３５    ……（３）
０．６＜Ｆ2 ／Ｆ＜０．９        ……（４）
０．３＜Ｆ3 ／Ｆ＜０．７        ……（５）
ＤＹ：第２の結像光学系に入射する光束の第１の走査方向における光束径
Ｆ：第２の結像光学系の焦点距離
Ｆ1 ：第１レンズ要素の焦点距離
Ｆ2 ：第２レンズ要素の焦点距離
Ｆ3 ：第３レンズ要素の焦点距離
【手続補正４】
【補正対象書類名】明細書
【補正対象項目名】００１５
【補正方法】変更
【補正の内容】
【００１５】
以下の説明では、被走査面９におけるビームスポットの移動の方向を主走査方向（図１に矢印で示す）とする。また、光源１から被走査面９に至るまでの光路中において、主走査方向に対して直交する方向を副走査方向（図２に矢印で示す）とする。ここで、主走査方向は、本発明における「第１の走査方向」の一具体例に対応し、副走査方向は、本発明における「第２の走査方向」に対応する。
【手続補正５】
【補正対象書類名】明細書
【補正対象項目名】００１７
【補正方法】変更
【補正の内容】
【００１７】
図１において、符号ＲＩは、絞り３（後述）から光束の進行方向に数えてＩ番目（Ｉ＝２，３，４．．．１４）のレンズ面の曲率半径を示している。符号ＤＩ（Ｉ＝２，３，．．．，１３）は、絞り３から数えてＩ番目のレンズ面とＩ＋１番目のレンズ面との間の光軸に沿った面間隔を示している。
【手続補正６】
【補正対象書類名】明細書
【補正対象項目名】００２３
【補正方法】変更
【補正の内容】
【００２３】
第１レンズ要素６１，第２レンズ要素６２および第３レンズ要素６３は、全ての面が主走査方向において屈折力を持つよう構成されている。特に、本実施の形態では、第１レンズ要素６１，第２レンズ要素６２および第３レンズ要素６３の全ての光学表面が、少なくとも、第２の結像光学系の光軸を含むと共に第１の走査方向と平行な断面内において円弧形状をなしている。ここで、ｆθレンズ６は、本発明における「第２の結像光学系」の一具体例に対応するものである。
【手続補正７】
【補正対象書類名】明細書
【補正対象項目名】００２５
【補正方法】変更
【補正の内容】
【００２５】
図２に示したように、このシリンドリカルミラー８は、シリンドリカルレンズ７を通って入射した光束を上述した被走査面９に向けて反射するようになっている。ここでは、ｆθレンズ６の光軸近傍を通過し、さらにシリンドリカルレンズ７を通過した光束が、副走査方向に１５度以下の入射角αでシリンドリカルミラー８へ入射するようになっている。
【手続補正８】
【補正対象書類名】明細書
【補正対象項目名】００４９
【補正方法】変更
【補正の内容】
【００４９】
本実施例の走査光学系では、副走査方向におけるシリンドリカルミラー８への入射光の入射角αは７．５度であり、１５度よりも小さくなっている。また、走査線の長さＷは６１０ｍｍであり、５００ｍｍよりも長くなっている。
【手続補正９】
【補正対象書類名】明細書
【補正対象項目名】００５１
【補正方法】変更
【補正の内容】
【００５１】
また、第１レンズ要素６１の焦点距離Ｆ1 とｆθレンズ６の焦点距離Ｆとの比Ｆ1 ／Ｆは−０．２９９であり、条件式（３）を満足している。第２レンズ要素６２の焦点距離Ｆ2 とｆθレンズ６の焦点距離Ｆとの比Ｆ2 ／Ｆは０．７８９であり、条件式（４）を満足している。第３レンズ要素６３の焦点距離Ｆ3 とｆθレンズ６の焦点距離Ｆとの比Ｆ3 ／Ｆは０．４４９であり、条件式（５）を満足している。
【手続補正１０】
【補正対象書類名】明細書
【補正対象項目名】００５８
【補正方法】変更
【補正の内容】
【００５８】
本実施例の走査光学系では、副走査方向におけるシリンドリカルミラー８への入射光の入射角αは７．５度であり、１５度よりも小さくなっている。走査長Ｗは６１０ｍｍであり、５００ｍｍより長くなっている。シリンドリカルミラー８への入射光の副走査方向における光束径ＤＸと、シリンドリカルミラー８と被走査面９との距離ＤＬとの比ＤＸ／ＤＬは、０．０３８であり、条件式（１）を満足している。ｆθレンズ６の焦点距離Ｆと、ｆθレンズ６への入射光の主走査方向における光束径ＤＹとの比は２０．４であり、条件式（２）を満足している。
【手続補正１１】
【補正対象書類名】図面
【補正対象項目名】図１
【補正方法】変更
【補正の内容】
【図１】
2002116398.tif 000001
【手続補正１２】
【補正対象書類名】図面
【補正対象項目名】図５
【補正方法】変更
【補正の内容】
【図５】
2002116398.tif 000002